(57)【要約】  【課題】  迷子等の捜索対象者を、人違いをすることなく、迅速に捜し出すことができ、しかも、捜索依頼者に対して捜索対象者の正確な居場所を知らせるようにすること。  【解決手段】  サーバ６０は、無線読取装置３０が入場者２の携帯無線通信装置２０から読み取ったＩＤと、無線読取装置３０が検知した携帯無線通信装置２０までの距離又は方向とを、無線読取装置３０から受信するとともに、捜索依頼者２ａが捜索端末５０ａで特定した捜索対象者２ｄのＩＤを捜索端末５０ａから受信する。また、サーバ６０は、捜索対象者２ｄのＩＤと一致するＩＤを送信した携帯無線通信装置２０ｄの施設内の位置を、無線読取装置３０から受信した距離又は方向に基づいて算出する。そして、サーバ６０は、複数のカメラ４０のうちから算出された位置を撮影するカメラ４０ｄを特定し、特定したカメラ４０ｄが撮影した画像を、捜索端末５０ａに表示させるように構成した。【選択図】  図１
2005323253.tif 000002
【特許請求の範囲】
【請求項１】
テーマパーク等の施設の各入場者が携帯し、予め記憶した入場者の識別情報を送信する携帯無線通信装置と、
前記施設内に設置されて、各携帯無線通信装置から識別情報を無線で読み取るとともに、該携帯無線通信装置までの距離又は方向を検知する複数の無線読取装置と、
前記施設内の撮影を行う複数のカメラと、
捜索対象者を特定する情報が入力される入力手段、及び、前記カメラが撮影した画像を表示する表示手段を有する捜索端末と、
前記携帯無線通信装置、前記カメラ及び前記捜索端末とネットワークを介して通信するサーバと、を備え、
前記サーバは、
前記無線読取装置が各携帯無線通信装置から読み取った識別情報と該無線読取装置が検知した距離又は方向とを該無線読取装置から受信する第１の受信手段と、
前記捜索対象者の識別情報を前記捜索端末から受信する第２の受信手段と、
前記捜索対象者の識別情報と一致する識別情報を送信した携帯無線通信装置の前記施設内の位置を、前記無線読取装置から受信した距離又は方向に基づいて算出する位置算出手段と、
前記複数のカメラのうちから前記位置算出手段によって算出された位置を撮影するカメラを特定し、該カメラが撮影した画像を前記捜索端末の表示手段に表示させる表示制御手段と、
を備えたことを特徴とする捜索システム。
【請求項２】
前記捜索端末の表示手段は、前記カメラが撮影した画像とともに、該捜索対象者の携帯無線通信装置の位置を示す前記施設内の地図情報を表示することを特徴とする請求項１に記載の捜索システム。
【請求項３】
前記捜索端末の表示手段は、前記捜索対象者の携帯無線通信装置の位置に最も近いカメラが撮影した画像を表示することを特徴とする請求項１又は２に記載の捜索システム。
【請求項４】
前記サーバの表示制御手段は、前記捜索対象者の携帯無線通信装置の位置を画像の中心にして撮影するように前記カメラを制御することを特徴とする請求項１乃至３の何れかに記載の捜索システム。
【請求項５】
前記施設の入退場場所に設置された無線読取装置が前記施設を入退場する者の携帯無線通信装置から識別情報を読み取って前記サーバに送信し、
前記サーバは、前記入退場場所で読み取られた識別情報と関連付けて該識別情報の読み取り時刻を入退場時刻として管理する入退場情報管理手段を更に備え、
前記捜索端末の表示手段は、前記捜索対象者の入退場時刻を表示することを特徴とする請求項１乃至４の何れかに記載の捜索システム。
【請求項６】
前記サーバは、
氏名その他の各入場者の個人情報を該入場者の識別情報と関連付けて管理するとともに、入場者をグルーピングして管理する個人情報管理手段と、
前記捜索端末の入力手段に捜索依頼者の携帯無線通信装置から捜索依頼者の識別情報が入力されたとき、前記個人情報管理手段で管理された個人情報の中から前記捜索依頼者と同じグループ内の入場者の個人情報を検索する検索手段と、を備え、
前記捜索端末は、前記サーバで検索された情報を前記サーバから取得して表示し、前記捜索対象者の選択を受け付けることを特徴とする請求項１乃至５の何れかに記載の捜索システム。
【請求項７】
前記携帯無線通信装置は、該携帯無線通信装置を携帯する本人の識別情報とともに、該本人が属するグループ内の各入場者ごとの氏名その他の個人情報を各入場者の識別情報と関連付けて記憶し、
前記捜索端末は、捜索依頼者の携帯無線通信装置から各入場者の個人情報を読み取って表示し、前記捜索対象者の選択を受け付けることを特徴とする請求項１乃至５の何れかに記載の捜索システム。
【発明の詳細な説明】
【技術分野】
【０００１】
本発明は捜索システムに係り、特にテーマパーク等の施設内で行方の分からなくなった迷子や友人を捜すための捜索システムに関する。
【背景技術】
【０００２】
行方の分からなくなった迷子などを捜す場合、幾人かで手分けして捜すか、あるいは、場内アナウンスで呼び出してもらって捜すのが一般的である。
【０００３】
一方で、特許文献１には、複数の監視カメラで撮影した画像から画像認識により顔などの特徴を抽出して捜索対象を検出し、通信回線を介して監視センタに通報するようにしたものが記載されている。
【０００４】
また、特許文献２、３には、入場者がＲＦＩＤ（Radio Frequency Identification）タグを装着し、各ＲＦＩＤタグからＩＤ（識別情報）を読み取って捜索対象者のＩＤと比較して、捜索対象者のＩＤと同じＩＤを読み取った無線読取装置の位置を捜索対象者の居場所であるとして知らせるようにしたものが記載されている。
【特許文献１】特開２００１−２６６１３１号公報
【特許文献２】特開２０００−２３２５１９号公報
【特許文献３】特開平９−６１５１９号公報
【発明の開示】
【発明が解決しようとする課題】
【０００５】
迷子等の捜索対象者を、人違いをすることなく、迅速に捜し出すとともに、その迷子の保護者等の捜索依頼者に対して、正確な居場所を知らせる必要がある。しかし、画像認識により捜索対象者を検出する方法では、画像認識で捜索対象者を誤認識してしまうことがあり、また、迷子が背丈の大きな多くの大人の間に紛れてしまうと画像認識ではまったく検出できなくなるといった問題がある。また、捜索対象者のＩＤを読み取った無線読取装置の位置を捜索対象者の居場所であるとして知らせるようにした場合、迷子は無線読取装置の位置にとどまっていることは少なく、移動してしまうことが多いため、その結果として、正確な居場所が分からないことになってしまう。
【０００６】
本発明はこのような事情に鑑みてなされたもので、迷子等の捜索対象者を、人違いをすることなく、迅速に捜し出すことができ、しかも、捜索依頼者に対して捜索対象者の正確な居場所を知らせることが可能な捜索システムを提供することを目的とする。
【課題を解決するための手段】
【０００７】
前記目的を達成するために、請求項１に記載の発明は、テーマパーク等の施設の各入場者が携帯し、予め記憶した入場者の識別情報を送信する携帯無線通信装置と、前記施設内に設置されて、各携帯無線通信装置から識別情報を無線で読み取るとともに、該携帯無線通信装置までの距離又は方向を検知する複数の無線読取装置と、前記施設内の撮影を行う複数のカメラと、捜索対象者を特定する情報が入力される入力手段、及び、前記カメラが撮影した画像を表示する表示手段を有する捜索端末と、前記携帯無線通信装置、前記カメラ及び前記捜索端末とネットワークを介して通信するサーバと、を備え、前記サーバは、前記無線読取装置が各携帯無線通信装置から読み取った識別情報と該無線読取装置が検知した距離又は方向とを該無線読取装置から受信する第１の受信手段と、前記捜索対象者の識別情報を前記捜索端末から受信する第２の受信手段と、前記捜索対象者の識別情報と一致する識別情報を送信した携帯無線通信装置の前記施設内の位置を、前記無線読取装置から受信した距離又は方向に基づいて算出する位置算出手段と、前記複数のカメラのうちから前記位置算出手段によって算出された位置を撮影するカメラを特定し、該カメラが撮影した画像を前記捜索端末の表示手段に表示させる表示制御手段とを備えた構成となっている。
【０００８】
この構成によって、施設内の複数の無線読取装置により携帯無線通信装置までの距離又は方向が検知され、検知された距離又は方向に基づいて捜索対象者の携帯無線通信装置の位置が算出されて、算出された位置を撮影するカメラで得られた画像が捜索端末で表示されるので、幾人かで手分けして探したり場内アナウンスで読み出してもらうことなく捜索対象者を迅速に捜し出すことができ、また、画像認識の誤認識による人違いをすることもなく、しかも、捜索依頼者に対して捜索対象者の正確な居場所を知らせることができる。
【０００９】
請求項２に記載の発明は、請求項１に記載の発明において、前記捜索端末の表示手段は、前記カメラが撮影した画像とともに、該捜索対象者の携帯無線通信装置の位置を示す前記施設内の地図情報を表示する構成となっている。
【００１０】
この構成によって、捜索対象者の画像とともに、捜索対象者の携帯無線通信装置の位置を示す地図情報が表示されるので、捜索対象者の施設内の位置を的確に把握することが可能になる。
【００１１】
請求項３に記載の発明は、請求項１又は２に記載の発明において、前記捜索端末の表示手段は、前記捜索対象者の携帯無線通信装置の位置に最も近いカメラが撮影した画像を表示する構成となっている。
【００１２】
この構成によって、捜索対象者の携帯無線通信装置の位置に最も近いカメラが撮影した画像が表示されるので、捜索対象者を視認し易いことになる。
【００１３】
請求項４に記載の発明は、請求項１乃至３の何れかに記載の発明において、前記サーバの表示制御手段は、前記捜索対象者の携帯無線通信装置の位置を画像の中心にして撮影するように前記カメラを制御する構成となっている。
【００１４】
この構成によって、捜索対象者の携帯無線通信装置の位置を画像の中心にして撮影された画像が表示されるので、捜索対象者とその周囲を視認し易いことになる。
【００１５】
請求項５に記載の発明は、請求項１乃至４の何れかに記載の発明において、前記施設の入退場場所に設置された無線読取装置が前記施設を入退場する者の携帯無線通信装置から識別情報を読み取って前記サーバに送信し、前記サーバは、前記入退場場所で読み取られた識別情報と関連付けて該識別情報の読み取り時刻を入退場時刻として管理する入退場情報管理手段を更に備え、前記捜索端末の表示手段は、前記捜索対象者の入退場時刻を表示する構成となっている。
【００１６】
この構成によって、捜索対象者が一時的に退場している場合にもそのことを知ることができることになる。
【００１７】
請求項６に記載の発明は、請求項１乃至５の何れかに記載の発明において、前記サーバは、氏名その他の各入場者の個人情報を該入場者の識別情報と関連付けて管理するとともに、入場者をグルーピングして管理する個人情報管理手段と、前記捜索端末の入力手段に捜索依頼者の携帯無線通信装置から捜索依頼者の識別情報が入力されたとき、前記個人情報管理手段で管理された個人情報の中から前記捜索依頼者と同じグループ内の入場者の個人情報を検索する検索手段と、を備え、前記捜索端末は、前記サーバで検索された情報を前記サーバから取得して表示し、前記捜索対象者の選択を受け付ける構成となっている。
【００１８】
この構成によって、捜索対象者を容易に指定できることになる。
【００１９】
請求項７に記載の発明は、請求項１乃至５の何れかに記載の発明において、前記携帯無線通信装置は、該携帯無線通信装置を携帯する本人の識別情報とともに、該本人が属するグループ内の各入場者ごとの氏名その他の個人情報を各入場者の識別情報と関連付けて記憶し、前記捜索端末は、捜索依頼者の携帯無線通信装置から各入場者の個人情報を読み取って表示し、前記捜索対象者の選択を受け付ける構成となっている。
【００２０】
この構成によって、捜索対象者を容易に指定できることになる。
【発明の効果】
【００２１】
本発明によれば、迷子等の捜索対象者を、人違いをすることなく、迅速に捜し出すことができ、しかも、捜索依頼者に対して捜索対象者の正確な居場所を知らせることができる。
【発明を実施するための最良の形態】
【００２２】
以下、添付図面に従って、本発明を実施するための最良の形態について詳細に説明する。
【００２３】
図１は、本発明に係る一実施形態の捜索システムの全体構成を示す概略構成図である。
【００２４】
図１において、捜索システム１は、テーマパーク１０の入場者２（２ａ乃至２ｄ）の中から行方の分からなくなった者（捜索対象者）を捜索するものであり、テーマパークの各入場者２が携帯した複数の携帯無線通信装置２０（２０ａ乃至２０ｄ）と、携帯無線通信装置２０から入場者のＩＤ（識別情報）を無線で読み取る複数の無線読取装置３０（３０ａ乃至３０ｈ）と、テーマパーク内の撮影を行う複数のカメラ４０（４０ａ乃至４０ｈ）と、カメラ４０で撮影された捜索対象者の画像を表示させる複数の捜索端末５０（５０ａ乃至５０ｃ）と、ネットワーク９０を介して無線読取装置３０、カメラ４０及び捜索端末５０と通信するサーバ６０とによって構成されている。
【００２５】
携帯無線通信装置２０は、図２に示すように、主として、メモリ部２２、ＩＣ（Integrated Circuit）２４、及び、無線通信部２６、によって構成されている。メモリ部２２は、携帯無線通信装置２０を携帯する入場者本人のＩＤを予め記憶している。また、メモリ部２２は、本実施形態において、入場者本人が属するグループ内のメンバ（例えば家族や友人等の当該グループに属する入場者である）のＩＤ及び氏名を予め記憶している。ＩＣ２４は、メモリ部２２への情報の書き込み、及び、メモリ部２２からの情報の読み出しを行う。無線通信部２６は、メモリ部２２へ書き込む情報の無線受信、及び、メモリ部２２から読み出した情報の無線送信を行う。
【００２６】
このような携帯無線通信装置２０は、例えば、ＲＦＩＤ（Radio Frequency Identification）タグによって構成する。ＲＦＩＤタグは、無線読取装置３０から無線で供給される電力によって、ＩＤ等の情報を送信するようになっている。本実施形態では、数メートル（あるいは十数メートル）離れた位置から無線でＩＤを読み取り可能なものを用いる。なお、携帯無線通信装置２０は、特にＲＦＩＤタグに限定されるものではなく、他の携帯型の無線通信装置、例えば電池を搭載して自給の電力でＩＤなどの情報を送信するようにした携帯型の無線通信装置を用いてもよい。
【００２７】
無線読取装置３０は、図３に示すように、主として、無線通信部３２、検知部３４、及び、ネットワークインタフェース３６、によって構成されている。無線通信部３２は、携帯無線通信装置２０のメモリ部２２に予め記憶された入場者本人（携帯無線通信装置２０を携帯するその人である）のＩＤを、携帯無線通信装置２０から無線で読み取る。検知部３４は、ＩＤを読み取った携帯無線通信装置２０までの距離（又は方向）を検知する。ネットワークインタフェース３６は、ネットワーク９０を介してサーバ６０と通信するものである。具体的には、携帯無線通信装置２０から受信した入場者本人のＩＤと、検知部３４で検知された携帯無線通信装置２０までの距離（又は方向）を、サーバ６０に送信する。
【００２８】
ここで、無線読取装置３０の検知部３４が検知する距離は、無線読取装置３０から携帯無線通信装置２０までの距離そのものでなくても、その距離に対応した情報であればよく、例えば携帯無線通信装置２０から発した電波の強さを示す値を用いてもよい。また、方向を検知する場合には、携帯無線通信装置２０から発せられた電波の方向を示す情報であればよく、例えば方位角を用いる。
【００２９】
捜索端末５０は、図４に示すように、主として、無線通信部５２、モニタ５４、タッチパネル５６、及び、ネットワークインタフェース５８によって構成されている。無線通信部５２は、捜索依頼者の携帯無線通信装置２０から捜索依頼者本人のＩＤを無線で読み取る。例えば、第１の捜索端末５０ａに近づいた捜索依頼者２ａの携帯無線通信装置２０ａからＩＤを読み取る。また、無線通信部５２は、本実施形態において、捜索依頼者２ａの携帯無線通信装置２０ａのメモリ部２２に、捜索依頼者２ａが属するグループ内のメンバの情報（ＩＤ及び氏名）が記憶されていた場合、例えばその人の家族や友人の情報が記憶されていた場合には、その携帯無線通信装置２０ａから各メンバの情報を無線で読み取る。モニタ５４とタッチパネル５６とは一体にして形成されており、捜索依頼者２ａは、モニタ５４の表示を見ながらタッチパネル５６を操作する。モニタ５４は、各種の情報を表示する。例えば、捜索依頼者２ａの操作を案内するための各種の画面、捜索依頼者２ａの携帯無線通信装置２０ａから無線で読み取った情報、サーバ６０から受信した情報、捜索対象者（例えば２ｃ）の携帯無線通信装置（例えば２０ｃ）のテーマパーク内における位置を示す地図情報、テーマパークから一時的に退場した捜索対象者（例えば２ｄ）の入退場時刻、カメラ４０で撮影して得られた捜索対象者を含む画像などを表示する。タッチパネル５６は、捜索依頼者２ａが操作するものである。例えば、捜索対象者の選択、捜索対象者を直接的に特定する情報（例えばＩＤや氏名）の入力が行われる。ネットワークインタフェース５８は、ネットワーク９０を介してサーバ６０及びカメラ４０と通信するものである。例えば、各種画面を表示するための情報をサーバ６０から受信する。また、捜索対象者のＩＤを含む捜索要求をサーバ６０に送信する。また、捜索対象者の携帯無線通信装置２０の位置を示す地図情報をサーバ６０から受信する。また、一時的に退場した捜索対象者の入退場時刻をサーバ６０から受信する。また、カメラ４０で撮影して得られた捜索対象者を含む画像をカメラ４０から受信する。
【００３０】
なお、捜索端末５０の無線通信部５２及びタッチパネル５６は、本発明における入力手段を構成する。また、捜索端末５０のモニタ５４は、本発明における表示手段を構成する。
【００３１】
サーバ６０は、図５に示すように、主として、個人情報管理部６２、地図情報管理部６３、入退場情報管理部６４、検索部６６、位置算出部６７、表示制御部６８、ネットワークインタフェース６９によって構成されている。個人情報管理部６２は、各入場者２（２ａ乃至２ｄ）ごとに、氏名及び顔画像をＩＤと関連付けて管理する。また、個人情報管理部６２は、入場者２をグルーピングして管理する。例えば、同時に入場を受け付けた仲間４人をひとつのグループとして管理する。地図情報管理部６３は、テーマパーク内の地図を管理するものである。地図情報には、テーマパーク内の各地点の位置情報のみでなく、各無線読取装置３０、各カメラ４０及び各捜索端末５０の位置情報、及び、入場者の位置情報を含む。入退場情報管理部６４は、各入場者ごとに、入退場時刻をＩＤと関連付けて管理する。具体的には、入退場口に設置された無線読取装置３０ｈが入退場者２ｄのＩＤをその入退場者２ｄの携帯無線通信装置２０ｄから無線で読み取ってサーバ６０に送信するので、入退場情報管理部６４は、入退場者２ｄのＩＤをそのＩＤの読取時刻と関連付けて記憶する。位置算出部６７は、捜索対象者のＩＤと一致するＩＤを送信した携帯無線通信装置２０の施設内の位置を、１又は複数の無線読取装置３０から受信した距離（又は方向）に基づいて算出するものである。表示制御部６８は、捜索端末５０のモニタ５４に表示される情報の内容を制御するものである。ネットワークインタフェース６９は、ネットワーク９０を介して無線読取装置３０、カメラ４０及び捜索端末５０と通信するものである。
【００３２】
なお、サーバ６０のネットワークインタフェース６９は、本発明の第１の受信手段及び第２の受信手段を構成する。具体的には、サーバ６０のネットワークインタフェース６９は、無線読取装置３０が各携帯無線通信装置２０から読み取ったＩＤと、無線読取装置３０が検知した距離（又は方向）とを、無線読取装置３０から受信する。また、捜索対象者のＩＤを含む捜索要求を捜索端末５０から受信する。
【００３３】
サーバ６０の表示制御部６８は、例えば捜索対象者が２ｃである場合には、複数のカメラ４０ａ乃至４０ｈのうちから、サーバ６０の位置算出部６７によって算出された位置、すなわち捜索対象者２ｃの携帯無線通信装置２０ｃの位置を撮影するカメラ４０ｃを特定して、捜索対象者２ｃの携帯無線通信装置２０ｃの位置を画像の中心にして撮影するようにカメラ４０ｃを制御するとともに、当該カメラ４０ｃにより撮影された画像を捜索要求をした捜索端末５０のモニタ５４に表示させるように制御する。また、サーバ６０の表示制御部６８は、カメラ４０ｃが撮影した画像とともに、捜索対象者２ｃの携帯無線通信装置２０ｃの位置を示すテーマパーク内の地図情報を捜索端末５０のモニタ５４に表示させるように制御する。
【００３４】
また、サーバ６０の表示制御部６８は、捜索対象者（例えば２ｄ）の入退場時刻を捜索端末４０のモニタ５４に表示させるように制御する。
【００３５】
本実施形態の捜索システム１では、捜索依頼者が属するグループ内のメンバの一覧を捜索端末５０に表示して、その一覧から捜索依頼者が捜索対象者を容易に指定できるようになっている。例えば、迷子をその親が捜す場合、その家族の一覧を表示して、どの子を捜すか容易に指定できるようになっている。また、例えば、行方の分からなくなった友人を捜す場合、一緒に入場した仲間の一覧を表示して、どの人を捜すか容易に指定できるようになっている。このような本実施形態の捜索システム１における処理の流れについて、２つの具体的な実施例（実施例１及び２）に分けて説明する。
【実施例１】
【００３６】
実施例１では、捜索端末５０ａが、捜索依頼者２ａの携帯無線通信装置２０ａからメンバの情報を読み取って、メンバの一覧を表示するようになっている。
【００３７】
この実施例１における捜索処理の流れを、図６及び図７に示すフローチャートを用いて説明する。なお、図６は捜索端末５０における処理の流れを示し、図７はサーバ６０における処理の流れを示す。
【００３８】
図６において、まず、捜索端末５０ａのモニタ５４には、誰を捜すのかを捜索依頼者２ａに問い合わせる捜索依頼画面が表示される（Ｓ１０２）。ここで、捜索依頼者２ａの携帯無線通信装置２０ａが捜索端末５０ａの無線通信部５２に近づけられることにより、その携帯無線通信装置２０ａのメモリ部２２に予め記憶された捜索依頼者２ａと同一のグループに属するメンバ２ｂ、２ｃ、２ｄのＩＤ及び氏名が、捜索端末５０ａの無線通信部５２により読み取られる（Ｓ１１２）。捜索端末５０ａのモニタ５４には、捜索依頼者２ａを除くメンバ全員２ｂ、２ｃ、２ｄの氏名が一覧で表示されるとともに、「この中の誰ですか？」と表示される（Ｓ１１４）。そこで、捜索依頼者２ａは、表示されたメンバ全員の氏名（例えば、「Ｂ」、「Ｃ」及び「Ｄ」）を見ながら、捜索端末５０ａのタッチパネル５６により捜索対象者を選択する（Ｓ１１６）。例えば、一覧から捜索対象者として「Ｃ」２ｃが選択される。
【００３９】
一方で、捜索端末５０ａのモニタ５４に捜索依頼画面が表示された状態で、捜索端末５０ａのタッチパネル５６により、捜索依頼者２ａが捜索対象者のＩＤを直接入力してもよい（Ｓ１３２）。例えば、捜索対象者「Ｃ」２ｃのＩＤを直接に入力して、タッチパネル５６上の「確認」ボタンを押すことにより、捜索対象者として「Ｃ」２ｃが特定される（Ｓ１３４）。
【００４０】
捜索対象者２ｃが特定されると、捜索端末５０ａがサーバ６０に対して捜索要求を送信する（Ｓ１５２）。ここで、捜索要求には、捜索対象者２ｃのＩＤが付与されている。
【００４１】
一方で、テーマパーク内に設置された複数の無線読取装置３０（３０ａ乃至３０ｈ）は、それぞれ、各入場者２（２ａ乃至２ｄ）が携帯する携帯無線通信装置２０（２０ａ乃至２０ｄ）から、携帯無線通信装置２０を携帯した本人のＩＤを受信するとともに、無線読取装置３０から各携帯無線通信装置２０までの距離（又は方向）を検知する。
【００４２】
図７において、サーバ６０は、無線読取装置３０が各携帯無線通信装置２０から無線で読み取ったＩＤと、無線読取装置３０が携帯無線通信装置２０からＩＤを読み取ったときに無線読取装置３０が検知した無線読取装置３０から携帯無線通信装置２０までの距離（又は方向）とを、複数の無線読取装置３０から受信する（Ｓ１６２）。一方で、サーバ６０は、捜索対象者２ｃのＩＤを捜索端末５０ａから受信する（Ｓ１６４）。そして、サーバ６０は、捜索対象者２ｃのＩＤと一致するＩＤを送信した携帯無線通信装置２０ｃのテーマパーク内の位置を、無線読取装置３０から携帯無線通信装置２０ｃまでの距離（又は方向）に基づいて算出する（Ｓ１６６）。
【００４３】
次に、サーバ６０は、テーマパーク内に設置された複数のカメラ４０のうちから、捜索対象者２ｃが携帯した携帯無線通信装置２０ｃの位置、すなわちステップＳ１６６で算出した位置に、最も近いカメラ４０ｃを特定し（Ｓ１６８）、その携帯無線通信装置２０ｃの位置を画像の中心にして撮影するようにカメラ４０ｃを制御する（Ｓ１７０）。そして、捜索対象者を撮影した画像と、捜索対象者２ｃの携帯無線通信装置２０ｃの位置を示す地図情報とが、捜索端末５０ａのモニタ５４に表示されるように制御される。
【００４４】
具体的には、サーバ６０がカメラ４０ｃに対して捜索端末５０ａへの画像の送信を指示し、捜索対象者２ｃを撮影した画像がカメラ４０ｃから捜索端末５０ａに送信されるとともに、捜索対象者２ｃの携帯無線通信装置２０ｃの位置を示す地図情報がサーバ６０から捜索端末５０ａに送信される。
【００４５】
捜索端末５０ａは、捜索対象者２ｃが撮影された画像、及び、携帯無線通信装置２０ｃの位置を示す地図情報を受信して、モニタ５４に表示する（図６のＳ１５４）。
【実施例２】
【００４６】
実施例２では、捜索端末５０ａが、サーバ６０からメンバの情報を取得して、メンバの一覧を表示するようになっている。
【００４７】
例えば、図８（ａ）に示すように、友人同士からなる４人（「Ａ」２ａ、「Ｂ」２ｂ、「Ｃ」２ｃ及び「Ｄ」２ｄ）について同時にテーマパークの入場の受け付けをしたとする。そうすると、各入場者２ａ、２ｂ、２ｃ、２ｄごとにユニークなＩＤが付与されるとともに、４人のＩＤをひとつのグループとして関連付けて管理される。
【００４８】
なお、入場者のＩＤの桁数は、実際にはテーマパークの収容人数に応じて適宜設定してよい。例えば、個人ＩＤを１２桁、グループＩＤを４桁としてもよいが、以下では、説明の便宜上、入場者のＩＤが３桁の個人ＩＤ及び１桁のグループＩＤから構成される場合を例に説明する。
【００４９】
このような場合、図８（ｂ）に示すように、サーバ６０の個人情報管理部６２には、各入場者２ａ、２ｂ、２ｃ、２ｄの氏名「Ａ」、「Ｂ」、「Ｃ」、「Ｄ」と顔画像とが、入場者ごとのＩＤ（「１１１５」、「１１２５」、「１１３５」及び「１１４５」）と関連付けられて記憶される。ここで、個人ＩＤは「１１１」、「１１２」、「１１３」及び「１１４」であり、グループＩＤは「５」である。
【００５０】
捜索端末５０ａにおける処理の流れを図９に示し、サーバ６０における処理の流れを図１０に示す。
【００５１】
図９において、まず、捜索端末５０ａのモニタ５４には、誰を捜すのかを捜索依頼者２ａに問い合わせる捜索依頼画面が表示される（Ｓ２０２）。ここで、捜索依頼者２ａの携帯無線通信装置２０ａが捜索端末５０ａの無線通信部５２に近づけられることにより、その携帯無線通信装置２０ａのメモリ部２２に予め記憶された捜索依頼者２ａのＩＤ（「１１１５」）が、捜索端末５０ａの無線通信部５２により読み取られる（Ｓ２１２）。捜索端末５０ａは、捜索依頼者２ａが属するグループ内のメンバ全員の個人情報をサーバ６０に要求する（Ｓ２１４）。この個人情報要求には、捜索依頼者２ａのＩＤ（「１１１５」）が付与されている。サーバ６０は、メンバ全員の個人情報要求を捜索依頼者２ａのＩＤ付きで受信すると（図１０のＳ２６２）、捜索依頼者２ａのグループＩＤ（「５」）に基づいて、捜索依頼者２ａと同じグループに属するメンバ全員のＩＤ、氏名及び顔画像を検索して（Ｓ２６４）、捜索端末５０ａに送信する（Ｓ２６６）。捜索端末５０ａがサーバ６０からメンバ全員の情報を受信すると（図９のＳ２１６）、図８（ｃ）に示すように、捜索端末５０ａのモニタ５４には、捜索依頼者２ａを除くメンバ全員２ｂ、２ｃ、２ｄの氏名（「Ｂ」、「Ｃ」及び「Ｄ」）と顔画像が一覧で表示されるとともに、「この中の誰ですか？」と表示される（Ｓ２１８）。そこで、捜索依頼者２ａは、表示されたメンバ全員の氏名及び顔画像を見ながら、捜索端末５０ａのタッチパネル５６により捜索対象者を選択する（Ｓ２２０）。例えば、一覧から捜索対象者として「Ｃ」が選択される。
【００５２】
一方で、捜索依頼者２ａと異なるグループに属する入場者を捜索対象者として指定することも可能である。この場合、例えば捜索対象者の氏名を検索キーとして捜索対象者の情報をサーバ６０から取得する。具体的には、捜索依頼画面が表示された状態で、捜索端末５０ａのタッチパネル５６により捜索依頼者２ａが捜索対象者の氏名「Ｘ」を入力すると（Ｓ２３４）、捜索端末５０ａは「Ｘ」の個人情報をサーバ６０に要求する（Ｓ２３６）。この個人情報要求には、捜索対象者の氏名「Ｘ」が付与されている。サーバ６０は、「Ｘ」の個人情報要求を受信すると（図１０のＳ２６２）、捜索対象者２ｃの氏名「Ｘ」に基づいて、「Ｘ」のＩＤ及び顔画像を検索して（Ｓ２６４）、捜索端末５０ａに送信する（Ｓ２６６）。捜索端末５０ａがサーバ６０から捜索対象者のＩＤ及び顔画像を受信すると（図９のＳ２３６）、捜索端末５０ａのモニタ５４には、捜索対象者の氏名「Ｘ」とともに顔画像が表示されて、「この人ですか？」と聞いてくる（Ｓ２３８）。そこで、捜索依頼者２ａは、表示された顔画像を確認して、タッチパネル５６上の「確認」ボタンを押すことにより、捜索対象者が特定される（Ｓ２４０）。
【００５３】
捜索対象者２ｃが特定されると、捜索端末５０ａがサーバ６０に対して捜索要求を送信する（Ｓ２５２）。ここで、捜索要求には、捜索対象者２ｃのＩＤが付与されている。
【００５４】
図１０において、サーバ６０は、無線読取装置３０が各携帯無線通信装置２０から読み取ったＩＤと、無線読取装置３０が検知した携帯無線通信装置２０までの距離（又は方向）とを、複数の無線読取装置３０から受信する（Ｓ２６８）。一方で、サーバ６０は、捜索対象者２ｃのＩＤ「１１３５」を捜索端末５０ａから受信する（Ｓ２７０）。そして、サーバ６０は、捜索対象者２ｃのＩＤと一致するＩＤを送信した携帯無線通信装置２０ｃのテーマパーク内の位置を、無線読取装置３０から携帯無線通信装置２０ｃまでの距離（又は方向）に基づいて算出する（Ｓ２７２）。
【００５５】
次に、サーバ６０は、捜索対象者２ｃの携帯無線通信装置２０ｃの位置を撮影するカメラ４０ｃを特定し（Ｓ２７４）、その携帯無線通信装置２０ｃの位置を画像の中心にして撮影するようにカメラ４０ｃを制御する（Ｓ２７６）。そして、捜索対象者を撮影した画像と、捜索対象者２ｃの携帯無線通信装置２０ｃの位置を示す地図情報とが、捜索端末５０ａのモニタ５４に表示されるように制御される（Ｓ２７８）。
【００５６】
捜索端末５０ａは、捜索対象者２ｃが撮影された画像、及び、携帯無線通信装置２０ｃの位置を示す地図情報を受信して、モニタ５４に表示する（図９のＳ２５４）。
【図面の簡単な説明】
【００５７】
【図１】本発明に係る一実施形態の捜索システムの全体構成図
【図２】本発明に係る一実施形態の携帯無線通信装置の要部ブロック図
【図３】本発明に係る一実施形態の無線読取装置の要部ブロック図
【図４】本発明に係る一実施形態の捜索端末の要部ブロック図
【図５】本発明に係る一実施形態のサーバの要部ブロック図
【図６】第１実施例における捜索端末での処理の流れを示す概略フローチャート
【図７】第１実施例におけるサーバでの処理の流れを示す概略フローチャート
【図８】第２実施例におけるグルーピングの例を示す説明図
【図９】第２実施例における捜索端末での処理の流れを示す概略フローチャート
【図１０】第２実施例におけるサーバでの処理の流れを示す概略フローチャート
【符号の説明】
【００５８】
２０…携帯無線通信装置、３０…無線読取装置、３２…無線読取装置の無線通信部、３４…無線読取装置の検知部、３６…無線読取装置のネットワークインターフェース、４０…カメラ、５０…捜索端末、５２…捜索端末の無線通信部（入力手段）、５４…捜索端末のモニタ（表示手段）、５６…捜索端末のタッチパネル（入力手段）、５８…捜索端末のネットワークインタフェース、６０…サーバ、６２…サーバの個人情報管理部、６３…サーバの地図情報管理部、６４…サーバの入退場情報管理部、６６…サーバの検索部、６７…サーバの位置算出部、６８…サーバの表示制御部、６９…サーバのネットワークインタフェース（第１の受信手段、第２の受信手段）、９０…ネットワーク
【図１】
2005323253.tif 000003
【図２】
2005323253.tif 000004
【図３】
2005323253.tif 000005
【図４】
2005323253.tif 000006
【図５】
2005323253.tif 000007
【図６】
2005323253.tif 000008
【図７】
2005323253.tif 000009
【図８】
2005323253.tif 000010
【図９】
2005323253.tif 000011
【図１０】
2005323253.tif 000012